(57)【要約】      （修正有）【課題】突然に雨等が降ってきた時、台車上の荷物が布、紙等ぬれては困るものであるときは、荷物をぬれない様にビニールや段ボール等を被せていたが、これは面倒でありまた迅速な対応が難しく、荷物をぬらしてしまった。【解決手段】台座１に台座２を重ね、前方には止め金具３が付け。その後方には足踏み９を取り付け、台座２の内側には防水加工ビニール６と支柱棒５が収納されていて,その先端にはアジャスト式ストッパー１５が取り付けてある。雨に遭遇した時には台座１の後方にある足踏み９を踏み、台座１の下にある半転横棒１２により、先端の止め金具３をはずす。そうすると台座が分離し、台座２を垂直にする事により支柱棒５が立ち上がり、防水用ビニール６が左右側面をおおい、上部部分を形成し、アジャスト式ストッパー１５に二重構造の防水用ビニールを前に垂らす事により箱型が出来上がり,雨等から荷物を守る事が出来る。【選択図】図６
2007112403.tif 000002
【特許請求の範囲】
【請求項１】
台座を二重構造にする事に依り晴天時と雨天時の両方に使用出来る台車
【請求項２】
前記台座本体（１）に対して設けられた足踏み（９）を押し上げることにより、横棒（１２）が半転する装置
【請求項３】
前記横棒（１２）と前部にと取り付けてある金具（３）とを結ぶ間にスプリングワイヤー（１３）を取り付けているワイヤー装置
【請求項４】
前記横棒（１２）と前部の左右、下に取り付けたジョイント（１４）の装置
【請求項５】
前記台座（１）の足踏み（９）に依り横棒（１２）が逆半転しスプリングワイヤー（１３）を引き前部左右にあるジョイント（１４）が引かれ支柱棒（５）が立ち上がる装置
【請求項６】
前記台座（２）の前部の中にアジャストストッパー（１５）を取り付けた装置
【請求項７】
前記アジャストストッパー（１５）に左右より前部に２重に布をはる装置
【請求項８】
前記支柱棒（５）の下にアジャストストッパー（１４）を組み込みにした装置
【請求項９】
前記支柱棒（５）を卵型及び３角、５角など変形型にした物
【請求項１０】
台座（１）と台座（２）と支柱棒（５）に布をはった装置
【請求項１１】
支柱棒（５）を２重にする事により高さを調整出来る装置
【請求項１２】
アジャストストッパー（１５）を２重棒にする事により長さを調整する装置
【発明の詳細な説明】
【発明の詳細な説明】
【発明の利用分野】
【０００１】  本発明は、台座を二重にすることに依り、台座上に載せた荷物を突発的な雨等から荷物を保護出来るようにした台車装置である。
【背景技術】
【０００２】  従来台車を用いて荷物を運んでいる場合突発的な雨などが降ってきたときや、雨天日など荷物を運ぶ距離が短い移動の場合台車上の荷物が食品や紙など濡れては困る物があるときに一時しのぎ的に荷物の上から段ボールやビニールシート等を被せて運んでいる。【０００３】  例えば、特開２０００−３１８６２０【０００４】  上記の方法など色々あると思うが、上記の方法でも解決されない問題点があると思われる。
【発明が解決しようとする課題】
【０００５】  雨天時に、いちいち荷物の上から段ボールやビニールシート等をかけるのは面倒であり、迅速な対応が難いということであり、突発的な雨に対しては、その場に適当な段ボールやビニールシート等がないために荷物をぬらしてしまうことがしばしば起こっていた。
【０００６】  また、雨や強い風など伴っているようなときでは、荷物上に段ボールやビニールシート等を載せただけでは、段ボールやビニールシート等がとばされたり、ズレたり、落ちたりして役に立たない事もあった。
【０００７】  本発明は上記記載の事情を考えなされたものであって、突発的な雨等から台座上の荷物を敏速かつ確実に荷物を守ることが出来、その扱い方法も至って簡単に行えるようにした二重構造型雨天両用台車である。
【課題を解決するための手段】
【０００８】  本発明は、上記目的を解決、達成するために次の技術的手段を講じた。即ち、本発明に係わる二重構造台座にし、
【０００９】  その二重構造の中に防水布や防水ビニール等防水加工された物を不使用時には二重構造に格納する。このような構成であるから普段は格納し、又、必要に応じて取り出しが出来る様にしてある。
【００１０】  不使用時における時は、なんら普通の台車とかわらず、特開２０００−３１８６２０は台車にブランケットを使用して作用するものであって、台車一体型ではない。
【００１１】  本発明は前記の台車用カバー装置を台車自体に取付け、収納出来る方法を考えた。
【００１２】  本来のなやみであった、雨や風による濡れてはこまる荷物を濡らさずに、かつ、すばやくその装置を作用させることが出来た。
【００１３】  このようなことから、荷物を雨、風等から守ることができる。そして、この二重構造台車は、言うまでもなく台車自体の構成も何ら限定されるものでもない。
【００１４】  例えば、荷台ハンドルの折たたみ不可、電動走行装置付等の搭載の有無にかかわらず取付に全く問題はない。また車輪数も１〜４輪の物全て、またそれ以外の物に対して何ら問題なく採用する事が可能である。
【００１５】  たとえば１〜２輪には立型を二重にする事に依り採用可能である。どの様な形態でも二重型構造を使用する事に依り無数の物に使用できる物である。
【発明の実施と形態】
【００１６】  以下図面に基づいて本発明の実施の形態を説明する。
図１は本発明に係る二重型構造台車、晴天時使用実態の図である。
【００１７】  台座（１）の上に台座（２）があり、台座（１）と台座（２）の前部には金具（３）がしっかりと台座（１）と台座（２）を使用前である為に止めている。折たたみハンドル（４）は使用状態になっている。台座（１）の後方に付いている足踏み（９）は晴天時は使用しない。
【００１８】  図２は雨天時の使用状態を示す図であり、図１の足踏み（９）を踏む事により図７の半転横棒（１２）が半転しスプリングワイヤー（１３）を引き、前部止め金具（３）を台座（１）と台座（２）を引き離す。その時は図７の半転横棒（１２）とスプリングワイヤー（１３）からの変形ジョイント（１４）は作動しない。
【００１９】  台座（２）を垂直に上げる事により、台座（２）の後方についている図６のＬ字型押し出し金具（１１）が半転横棒（１２）を逆半転させて、スプリングワイヤー（１３）を引き、変形ジョイント（１４）が台座（２）に切り込み変形の中に引き込まれ図８の支柱棒（５）が立ち上がる。その時は図７の半転横棒（１２）とスプリングワイヤー（１３）からの止め金具（３）は作動しない構造に作られている。
【００２０】  図２の台座（２）垂直時に対して支柱棒（５）が垂直になる時に、台座（１）台座（２）に取り付けてある防水加工済布及びビニール（６）が支柱棒（５）が立ち上がるにつれて収納されている台座（１）台座（２）から外側に立ち上がっていき回りをおおい、箱型のボックスが出来上がる
【００２１】  すなわち、この変形ジョイント（１４）と変形支柱棒との組合せにより垂直に立った支柱棒が左右に倒れない様に台座（２）にジョイント（１４）支柱棒（５）がなめらかに引き立つ様に変形型に加工されている。
【００２２】  すなわち、台座（２）の前部左右の溝に加工を加える事により支柱棒（５）が垂直にたもたれてくる。それは、台座（２）の側面をおおう防水加工済布及びビニールがきちっと箱型にする為である。
【００２３】  図２のアジャスト式ストッパー（１５）は晴天時は台座（２）の裏側に収納されており、なんら台車のさまたげにはならない。雨天時等に台座（２）を垂直にした時に裏側よりアジャスト式ストッパー（１５）を平行に取り出す事によりその両サイドにアジャスト式ストッパー（１５）に防水用強化ビニール（６）等が付いている。
【００２４】  その防水用強化ビニール（６）等が二重になっており、その側面には防水用強化ビニール横たれビニール（７）が付いている。それは側面よりの雨の侵入や風等で雨が侵入してくるのを防ぐ役目をはたす。
【００２５】  すなわち、アジャスト式ストッパー（１５）の二重部分を前方に垂らす事により前方及び側面、上部からの雨の侵入を防ぐものであると同時に風等による荷物を濡らす事なく確実に運べる。
【００２６】  そして防水用強化ビニール（６）の側面にはあらかじめマジックテープ（１０）を数ヵ所及び防水用強化ビニール（６）の回りに取り付ける事により、より強力に雨や風から荷物を安全にぬらさない事になる。
【００２７】  そして、台座（１）台座（２）を合わせてある為に、通常時には何ら問題なく雨等に遭遇した時に本来の台座（１）と台座（２）を使用する事により、より早く荷物を雨等から守る事が出来る。即ち、防水加工済布及びビニールシート（６）が自動的に箱型を作ってくれるから、荷物が濡れない確率が高くなる。
【００２８】  防水用強化ビニール（６）やそれに付随している防水用強化ビニール横たれビニール（７）にマジックテープ（１０）が付けてある事により風が入りにくくなる為、カバーがめくり上がりを一層確実に防止できることになる、その上、二重になっている（６）は前方にたらして横たれビニール（７）が付いているので前方、側面、上部からの雨の侵入をより一層防いでいる。
【００２９】  すなわち、雨及び風等が激しく吹いても、前方より荷物の出し入れが出来るので複数の荷物を入れてあっても前出しである為に複数の内１個だけ出し入れするにも、他の複数の荷物になんら悪影響を与えない。
【００３０】  それはアジャスト式ストッパー（１５）の両サイドにはアルミ、鉄、プラスチック等の丸棒が入っているから雨風等による（６）（７）等がめくり上がらない工夫を施しているからである。すなわち、雨は上部より風は横から来るものであってそれを防ぐ為に（６）（７）に丸棒を入れ横たれ（７）に多少の重みを施してある。
【００３１】  すなわち、この装置の図２の台座（２）及び支柱棒（５）にパイプなど二重にする事により高低の差を付ける事が可能であり、それにより機能が低下はしない。
【００３２】  それには防水用強化ビニール（６）をその部分にのばす事により変化を著しく損なうものではない。
【発明効果】
【００３３】  以上の説明で明らかなように本発明に係る雨天両用型台車は突発的な雨等に遭遇した場合には、二重台座を後方にある足踏みにより二重台座を分離させて台座上部を垂直に持ち上げその上部台座の後方に付けてあるＬ型押し出し金具により
【００３４】  台座下部に取り付けてある半転式横棒が半転してスプリングワイヤーを引き、その先端に付けてある変形ジョイントが引かれ、そのジョイント部分に付いている変形支柱棒が台座下部の両サイドの変形溝に引き込まれていく。
【００３５】  そして、支柱棒は垂直に変形溝に入りそれに付随している防水加工済の布やビニールが左右に取り付けてあるので自然に支柱棒が立ち上がる時に両サイドの側面を覆っていく。
【００３６】  そして、垂直にした台座の中にあらかじめ収納してあったアジャスト式ストッパーを取り出して平行にする事により上部が出来上がり、それに付いている二重の防水加工済布、ビニール等を前に垂らす事により箱型の箱を形成する。
【００３７】  従って、台座上の荷物を迅速かつ確実に雨等から守る事が出来、その扱いもいたって容易に出来るものである。
【００３８】  また、不使用時には上部アジャスト式ストッパーや支柱棒は台座上部部分の内側に収納されている。従って、台座上には荷物を積み降ろしする際や台座を走行させることは何らじゃまになる事はない。
【００３９】  台座上部、内側に取り付けたアジャスト式ストッパーを二重構造にし変形支柱棒も二重構造にすることによりより一層の高低が出来上がる。どの様にも多様に対処出来る様、取付アジャスト式ストッパー、変形支柱棒も交換をし多目的に対応可能にしてある。
【図面の簡単な説明】
【図１】本発明に係る晴天時の使用状態を示す右側面図
【図２】本発明に係る雨天時の使用状態を示す右側面図
【図３】本発明に係る収納時右側面図
【図４】本発明に係る晴天時の平面図
【図５】本発明のＡ−Ａ′線断面図
【図６】本発明に係る雨天時の使用状態を示す斜視図と下部透視図
【図７】本発明に係る図３及び図５の裏側の平面図
【図８】本発明に係る図５及び図６の支柱棒、ジョイントの斜視図
【図９】本発明に係る図２及び図６のアジャストストッパーの右側面図
【符号の説明】
１    正台座
２    副台座
３    二重台座用止め金具
４    折り畳みハンドル
５    変形型支柱棒
６    防水用強化ビニール
７    防水用強化ビニール横たれビニール
８    二重台座用止め金具
９    足踏み
１０  マジックテープ
１１  Ｌ字型押し出し金具
１２  半転式横棒
１３  スプリングワイヤー
１４  変形型ジョイント
１５  アジャスト式ストッパー
【図１】
2007112403.tif 000003
【図２】
2007112403.tif 000004
【図３】
2007112403.tif 000005
【図４】
2007112403.tif 000006
【図５】
2007112403.tif 000007
【図６】
2007112403.tif 000008
【図７】
2007112403.tif 000009
【図８】
2007112403.tif 000010
【図９】
2007112403.tif 000011